(57)【特許請求の範囲】
【請求項１】
無線送受信チップであって、
第１の受信部および第２の受信部を含む少なくとも一つの受信部と、
第１の送信部および第２の送信部を含む少なくとも一つの送信部と、
前記無線送受信チップ内部に設けられるとともに、第１のスイッチングユニットおよび第２のスイッチングユニットを含み、前記受信部と前記送信部との間の切換えを行うことにより、前記無線送受信チップと、前記無線送受信チップ外部のベースバンドチップとが通信を行う少なくとも一つのスイッチングユニットと、を備え、
前記第１の受信部および前記第１の送信部が異なるスイッチングユニットに接続され、前記第２の受信部および前記第２の送信部が異なるスイッチングユニットに接続されることを特徴とする無線送受信チップ。
【請求項２】
前記受信部が少なくとも一本の受信配線を介して前記スイッチングユニットに接続され、そして前記送信部が少なくとも一本の送信配線を介して前記スイッチングユニットに接続されていることを特徴とする請求項１に記載の無線送受信チップ。
【請求項３】
前記スイッチングユニットが二つのスイッチを備えるとともに、前記受信配線および送信配線の本数がいずれも二本であることを特徴とする請求項２に記載の無線送受信チップ。
【請求項４】
前記スイッチングユニットが四つのスイッチを備えるとともに、前記受信配線および送信配線の本数がいずれも四本であることを特徴とする請求項２に記載の無線送受信チップ。
【請求項５】
前記受信部、前記送信部および前記スイッチングユニットの数が複数であることを特徴とする請求項１に記載の無線送受信チップ。
【請求項６】
前記第１の受信部および前記第２の送信部が前記第１のスイッチングユニットに接続され、そして前記第１の送信部および前記第２の受信部が前記第２のスイッチングユニットに接続されていることを特徴とする請求項１に記載の無線送受信チップ。
【請求項７】
前記受信部、前記送信部および前記スイッチングユニットの数が複数であるとともに同一の数備えるとともに、対応する受信部および送信部が異なるスイッチングユニットにそれぞれ接続されていることを特徴とする請求項１に記載の無線送受信チップ。
【請求項８】
前記受信部が第１の受信部と、第２の受信部と、・・・、第（ｎ−１）の受信部と、第ｎの受信部とを備え、そして前記送信部が第１の送信部と、第２の送信部と、・・・、第（ｎ−１）の送信部と、第ｎの送信部とを備えたことを特徴とする請求項１に記載の無線送受信チップ。
【請求項９】
前記対応する受信部および送信部が異なるスイッチングユニットにそれぞれ接続されていることを特徴とする請求項８に記載の無線送受信チップ。
【請求項１０】
前記第１の受信部および第１の送信部が異なるスイッチングユニットにそれぞれ接続されており、前記第２の受信部および第２の送信部が異なるスイッチングユニットに接続されており、・・・、前記第（ｎ−１）の受信部および第（ｎ−１）の送信部が異なるスイッチングユニットに接続されており、そして前記第ｎの受信部および第ｎの送信部が異なるスイッチングユニットに接続されていることを特徴とする請求項９に記載の無線送受信チップ。
【請求項１１】
請求項１に記載の無線送受信チップの補正方法であって、
第１の波形信号を前記第１の送信部に送出することで、第１の送信部の補正結果を生成するステップと、
第２の波形信号を前記第１の送信部を介して前記第１の受信部に送出することで、第１の受信部の補正結果を生成するステップと、
第３の波形信号を前記第２の送信部に送出することで、第２の送信部の補正結果を生成するステップと、
第４の波形信号を前記第２の送信部を介して前記第２の受信部に送出することで、第２の受信部の補正結果を生成するステップと、を含むことを特徴とする補正方法。
【請求項１２】
前記無線送受信チップが複数の受信部と、複数の送信部とを備えたことを特徴とする請求項１１に記載の補正方法。
【請求項１３】
前記受信部が前記第１の受信部と、前記第２の受信部と、・・・、第（ｎ−１）の受信部と、第ｎの受信部とを備え、前記送信部が前記第１の送信部と、前記第２の送信部と、・・・、第（ｎ−１）の送信部と、第ｎの送信部とを備えたことを特徴とする請求項１２に記載の補正方法。
【請求項１４】
前記第１の受信部および前記第２の送信部が前記第１のスイッチングユニットに接続され、そして前記第１の送信部および前記第２の受信部が第２のスイッチングユニットに接続されていることを特徴とする請求項１１に記載の補正方法。
【請求項１５】
前記第１の送信部の補正結果を、順次前記第１の受信部および前記第１のスイッチングユニットを経て出力するステップと、
前記第１の受信部の補正結果を、前記第１のスイッチングユニットから出力するステップと、
前記第２の送信部の補正結果を、順次前記第２の受信部および前記第２のスイッチングユニットを経て出力するステップと、
前記第２の受信部の補正結果を、前記第２のスイッチングユニットから出力するステップと、含むことを特徴とする請求項１４に記載の補正方法。
【請求項１６】
前記スイッチングユニットの切換えにより、前記第１の波形信号、前記第２の波形信号、前記第３の波形信号および前記第４の波形信号の伝送経路を構築することを特徴とする請求項１１に記載の補正方法。
【発明の詳細な説明】
【技術分野】
【０００１】
本発明は無線送受信チップに関し、主にスイッチングユニットを無線送受信チップの内部に設けることにより、チップ上におけるピン数の削減に寄与する。
【背景技術】
【０００２】
従来の無線送受信チップのブロック図である図１を参照されたい。図に示すように、無線送受信チップ（ｔｒａｎｓｃｅｉｖｅｒ ｃｈｉｐ）１０は受信部１１と送信部１３とを備えており、このうち受信部１１および送信部１３は無線送受信チップ１０上の異なるピン（ｐｉｎ）によりスイッチングユニット１５に接続されている。例えばスイッチングユニット１５は無線送受信チップ１０の外部に設けられており、無線送受信チップ１０の受信部１１は第１ピン１７１によりスイッチングユニット１５に接続されて、そして送信部１３は第２ピン１７３によりスイッチングユニット１５に接続されている。
スイッチングユニット１５は更にベースバンドチップ（ｂａｓｅｂａｎｄ ｃｈｉｐ）１９に接続されることで、スイッチングユニット１５は受信部１１および送信部１３の切換を行えるとともに、無線送受信チップ１０の信号をｐａｔｈ１を介してベースバンドチップ１９に送信する一方で、ベースバンドチップ１９の信号をｐａｔｈ２を介して無線送受信チップ１０に送信する。
しかしながら、従来の無線送受信チップ１０について言えば、チップ上におけるピン数が多くなりすぎて、例えば無線送受信チップ１０の面積を効果的に縮小できない、そして回路レイアウトにおける無線送受信チップ１０の増設などといった数々の問題が派生的に生じるようになった。
【発明の開示】
【０００３】
本発明の主な目的は、送信部と、受信部と、スイッチングユニットとが同一のチップ内部に設けられることにより、チップ上におけるピン数を減らす無線送受信チップを提供するところにある。
本発明の他の目的は、複数の送信部と、複数の受信部と、複数のスイッチングユニットとを備えるとともに、対応する受信部および送信部が異なるスイッチングユニットに接続されることで、無線送受信チップの補正を行いやすくした無線送受信チップを提供するところにある。
本発明の更に他の目的は、スイッチングユニットがチップ内部に設けられるとともに、スイッチングユニットを制御することで、無線送受信チップおよびベースバンドチップとの間のデータ伝送を行う無線送受信チップを提供するところにある。
本発明のまた更に他の目的は、対応する受信部および送信部がそれぞれ異なるスイッチングユニットに接続されることで、異なるスイッチングユニットにより波形信号（ｐａｔｔｅｒｎ）を出入力して、補正動作を実行しやすくした無線送受信チップの補正方法を提供するところにある。
上記目的を達成するために、本発明は、主に、少なくとも一つの受信部と、少なくとも一つの送信部と、無線送受信チップ内部に設けられるとともに、前記受信部および前記送信部に接続されて、前記受信部と前記送信部との間の切換えを行うことにより、前記無線送受信チップ外部のベースバンドチップとで通信を行う少なくとも一つのスイッチングユニットとを備えた無線送受信チップを提供する。
また、本発明は更に、第１の波形信号を第１の送信部に送出することで、第１の送信部の補正結果を生成するステップと、第２の波形信号を第１の送信部を介して第１の受信部に送出することで、第１の受信部の補正結果を生成するステップと、第３の波形信号を第２の送信部に送出することで、第２の送信部の補正結果を生成するステップと、第４の波形信号を第２の送信部を介して第２の受信部に送出することで、第２の受信部の補正結果を生成するステップとを含む無線送受信チップの補正方法を提供する。
【発明を実施するための最良の形態】
【０００４】
本発明の無線送受信チップの好ましい実施例のブロック概略図である図２を参照されたい。図に示すように、無線送受信チップ２０は受信部２１と、送信部２３と、スイッチングユニット２５とを備えている。このうちスイッチングユニット２５は無線送受信チップ２０内部に設けられるとともに、受信部２１、送信部２３および無線送受信チップ２０の外部のベースバンドチップ２９にそれぞれ接続されている。例えば受信部２１は少なくとも一本の受信配線２２１を介してスイッチングユニット２５に接続され、そして送信部２３は少なくとも一本の送信配線２２３を介してスイッチングユニット２５に接続されるとともに、スイッチングユニット２５は受信部２１と送信部２３との間の切換えを行うことで、無線送受信チップ２０の外部のベースバンドチップ２９とで通信を行う。
無線送受信チップ２０はチップ上のピン（ｐｉｎ）２７を介してベースバンドチップ２９に接続されることで、両者の間のデータ伝送を行う。例えばスイッチングユニット２５に切換えを行うとともに、受信部２１が受信配線２２１、スイッチングユニット２５およびピン（ｐｉｎ）２７を介してベースバンドチップ２９に電気的に接続され、しかも受信部２１のデータをベースバンドチップ２９に送出する。また、スイッチングユニット２５に切換えを行って、送信部２３が送信配線２２３、スイッチングユニット２５およびピン２７を介してベースバンドチップ２９に電気的に接続されるとともに、ベースバンドチップ２９のデータを送信部２３に送出する。
無線送受信チップ２０には更に少なくとも一本のアンテナ２４が接続されており、しかもアンテナ２４を介して信号の送受信を行う。例えばアンテナ２４が受信したアナログ信号を増幅およびアンダークロックを行った後、更にアナログ信号をベースバンドチップ２９に送出するか、またはベースバンドチップ２９が伝送したアナログ信号をオーバークロックした後、更にアナログ信号をアンテナ２４に送出するとともに、アンテナ２４を介して信号を送信する。言い換えれば、無線送受信チップ２０は主にアナログ信号の処理用であり、そしてベースバンドチップ２９はデジタル信号の処理およびデジタル／アナログ信号との間の変換用である。本発明では主にスイッチングユニット２５を無線送受信チップ２０の内部に設けて、無線送受信チップ２０上におけるピン２７の数を減らすとともに、無線送受信チップ２０の小型化を図るものである。
本発明の無線送受信チップの他の好ましい実施例のブロック概略図である図３を参照されたい。無線送受信チップ３０は受信部３１と、送信部３３と、スイッチングユニット３５とを備えている。このうちスイッチングユニット３５は、例えば第１のスイッチ３５１と、第２のスイッチ３５３といった二つのスイッチを備えており、しかもスイッチングユニット３５は受信配線３２１および送信配線３２３を介して受信部３１および送信部３３にそれぞれ接続されている。
受信配線３２１および送信配線３２３の本数はいずれも二本である。例えば受信配線３２１および送信配線３２３は第１のスイッチ３５１および第２のスイッチ３５３にそれぞれ接続されるとともに、スイッチングユニット３５が受信配線３２１および送信配線３２３を選択することで、受信部３１または送信部３３がベースバンドチップ３９に電気的に接続されて、無線送受信チップ３０がベースバンドチップ３９との間で信号の伝送を行うようになっている。
本発明の無線送受信チップの更に他の好ましい実施例のブロック概略図である図４を参照されたい。無線送受信チップ４０は受信部４１と、送信部４３と、スイッチングユニット４５とを備えている。このうちスイッチングユニット４５は四つのスイッチを備えるとともに、それぞれ受信配線４２１および送信配線４２３を介して受信部４１および送信部４３に接続されている。
受信配線４２１および送信配線４２３の本数はいずれも四本である。例えば受信配線４２１はＲＸＩ＋／ＲＸＩ−／ＲＸＱ＋／ＲＸＱ−を備え、送信配線４２３はＴＸＩ＋／ＴＸＩ−／ＴＸＱ＋／ＴＸＱ−を備えるとともに、受信配線４２１のＲＸＩ＋／ＲＸＩ−／ＲＸＱ＋／ＲＸＱ−および送信配線４２３のＴＸＩ＋／ＴＸＩ−／ＴＸＱ＋／ＴＸＱ−はスイッチングユニット４５内の四つのスイッチにそれぞれ接続され、しかもスイッチングユニット４５は受信部４１または送信部４３への電気的な接続を選択する。
本発明の無線送受信チップのまた更に他の好ましい実施例のブロック概略図である図５を参照されたい。本発明の実施例において説明の便宜上、受信部５１、送信部５３およびスイッチングユニット５５の個数は二つとなっているが、実際の応用においては、無線送受信チップ５０は複数（二つ以上）の受信部５１、送信部５３およびスイッチングユニット５５を備えてもよい。
無線送受信チップ５０の内部には、複数の受信部５１と、送信部５３と、スイッチングユニット５５とを同一の数備えるとともに、対応する受信部５１および送信部５３は異なるスイッチングユニット５５にそれぞれ接続されている。例えば受信部５１は第１の受信部５１１と、第２の受信部５１３とを備え、送信部５３は第１の送信部５３１と、第２の送信部５３３とを備え、そしてスイッチングユニット５５は第１のスイッチングユニット５５１と、第２のスイッチングユニット５５３とを備えており、第１の受信部５１１に第１のスイッチングユニット５５１が接続されている場合、第１の送信部５３１は第２の送信部５３３に接続されて、そして第２の受信部５１３に第２のスイッチングユニット５５３が接続されている場合には、第２の送信部５３３は第１のスイッチングユニット５５１に接続されている。言い換えれば、第１の受信部５１１および第１の送信部５３１は異なるスイッチングユニットに接続され、そして第２の受信部５１３および第２の送信部５３３も異なるスイッチングユニットに接続されることにより、無線送受信チップ５０が補正の動作を実行しやすくなっている。例えば第１のスイッチングユニット５５１と第２のスイッチングユニット５５３との間の切換えにより、送受信および補正を行うものである。
無線送受信チップ５０は第１ピン５７１と、第２ピン５７３とを備え、しかも第１ピン５７１および第２ピン５７３の数はいずれもスイッチングユニット５５内のスイッチングユニットと同数である。例えば本実施例におけるスイッチングユニット５５は四つのスイッチを備えており、そして第１ピン５７１および第２ピン５７３の数もまた四つとなっている。
それぞれ本発明の無線送受信チップの信号送信および受信の経路図である図６Ａおよび図６Ｂを参照されたい。本発明の実施例において、無線送受信チップ５０は二つの受信部５１と、二つの送信部５３と、二つのスイッチングユニット５５とを備えている。しかしながら実際の応用においては、無線送受信チップ５０内の受信部５１、送信部５３およびスイッチングユニット５５の数は、例えば二つ以上というように同じく複数個とすることができるうえ、対応する受信部５１および送信部５３は異なるスイッチングユニット５５にそれぞれ接続されている。
受信部５１は第１の受信部５１１と、第２の受信部５１３とを備え、送信部５３は第１の送信部５３１と、第２の送信部５３３とを備え、スイッチングユニット５５は第１のスイッチングユニット５５１と、第２のスイッチングユニット５５３とを備え、第１の受信部５１１に第１のスイッチングユニット５５１が接続されている場合、第１の送信部５３１は第２の送信部５３３に接続されて、そして第２の受信部５１３に第２のスイッチングユニット５５３が接続されている場合には、第２の送信部５３３は第１のスイッチングユニット５５１に接続されている。言い換えれば、第１の受信部５１１および第１の送信部５３１は異なるスイッチングユニットに接続され、そして第２の受信部５１３および第２の送信部５３３も異なるスイッチングユニットに接続されている。
無線送受信チップ５０がデータを受信するときは、主に図６Ａに示す第１の受信経路Ｐａｔｈ Ｒ１のように、信号を第１の受信部５１１から第１のスイッチングユニット５５１に送出するとともに、第１ピン５７１から出力するか、または図６Ａに示す第２の受信経路Ｐａｔｈ Ｒ２のように、信号を第２の受信部５１３から第２のスイッチングユニット５５３に送出するとともに、第２ピン５７３から出力する。
無線送受信チップ５０がデータを送信するときは、信号を図６Ｂに示す第１の送信径路Ｐａｔｈ Ｔ１のように、第１ピン５７１から入力するとともに、第１のスイッチングユニット５５１から第２の送信部５３３に送出するか、または信号を図６Ｂに示す第２の送信径路Ｐａｔｈ Ｔ２のように、第２ピン５７３から入力するとともに、第２のスイッチングユニット５５３から第１の送信部５３１に送出する。
前記第１の受信経路Ｐａｔｈ Ｒ１、第２の受信経路Ｐａｔｈ Ｒ２、第１の送信径路Ｐａｔｈ Ｔ１および第２の送信径路Ｐａｔｈ Ｔ２は主にスイッチングユニット（第１のスイッチングユニット５５１および第２のスイッチングユニット５５３）により経路が切換えられる。当然のこと、異なる実施例においては、受信部５１、送信部５３とスイッチングユニット５５との間の接続関係を変更し、そして送信経路および受信経路も付随的に変更することも可能である。例えば第１の受信部５１１が第２のスイッチングユニット５５３に接続され、第２の受信部５１３が第１のスイッチングユニット５５１に接続され、第１の送信部５３１が第１のスイッチングユニット５５１に接続され、第２の送信部５３３が第２のスイッチングユニット５５３に接続されるなどの異なる変化もある。
それぞれ本発明の無線送受信チップの補正経路図である図７Ａ、図７Ｂ、図８Ａおよび図８Ｂを参照されたい。本発明の実施例において、無線送受信チップ５０は二つの受信部５１と、二つの送信部５３とを備えるとともに、第１の送信部５３１、第１の受信部５１１、第２の送信部５３３および第２の受信部５１３の順で補正を行う。当然のこと、実際に応用においては、無線送受信チップ５０は複数（二つ以上）の受信部５１、送信部５３を備えるとともに、各組の受信部５１および送信部５３に補正を行ってもよい。
本実施例の無線送受信チップ５０は第１の送信部５３１と、第１の受信部５１１と、第２の送信部５３３と、第２の受信部５１３とを備えている。図７Ａに示すように、まず第１の波形信号（ｐａｔｔｅｒｎ１）を第１の送信部５３１に送出することで、第１の送信部５３１の補正結果を生成する。例えば第１の波形信号は第２ピン５７３から入力され、第２のスイッチングユニット５５３を介して第１の送信部５３１に送出されることで、第１の送信部５３１の補正が行われる。第１の送信部５３１の補正結果は順次第１の受信部５１１および第１のスイッチングユニット５５１を経て第１ピン５７１から出力されることで、第１の送信部５３１の補正が完了する。
図７Ｂに示すように、第１の送信部５３１の補正ステップが完了した後、第２の波形信号（ｐａｔｔｅｒｎ２）を第１の送信部５３１を介して第１の受信部５１１に送出することで、第１の受信部５１１の補正結果を生成する。例えば第２の波形信号は第２ピン５７３から入力され、第２のスイッチングユニット５５３を介して第１の送信部５３１および第１の受信部５１１に送出されることで、第１の受信部５１１の補正が行われる。第１の受信部５１１の補正結果は第１のスイッチングユニット５５１を経て第１ピン５７１から出力される。
図８Ａに示すように、第１の受信部５１１および第１の送信部５３１の補正が完了した後、第３の波形信号（ｐａｔｔｅｒｎ３）を第２の送信部５３３に送出することで、第２の送信部５３３の補正結果を生成する。例えば、第３の波形信号は第１ピン５７１から入力され、第１のスイッチングユニット５５１を介して第２の送信部５３３に送出されることで、第２の送信部５３３の補正が行われる。第２の送信部５３３の補正結果は順次第２の受信部５１３および第２のスイッチングユニット５５３を経て第２ピン５７３から出力されることで、第２の送信部５３３の補正が完了する。
図８Ｂに示すように、第２の送信部５３３の補正ステップが完了した後、第４の波形信号（ｐａｔｔｅｒｎ４）を第２の受信部５１３に送出することで、第２の受信部５１３の補正結果を生成する。例えば第４の波形信号は第１ピン５７１から入力され、第１のスイッチングユニット５５１を介して第２のスイッチングユニット５５３および第２の受信部５１３に送出されることで、第２の受信部５１３の補正が行われる。第２の受信部５１３の補正結果は第２のスイッチングユニット５５３を経て第２ピン５７３から出力される。
上記した補正ステップは主にスイッチングユニットの切換えにより実現される。例えば第１のスイッチングユニット５５１と第２のスイッチングユニット５５３との切換えにより、第１の波形信号、第２の波形信号、第３の波形信号および第４の波形信号の伝送経路を構築している。図７Ａ、図７Ｂ、図８Ａおよび図８Ｂに示されているステップの手順により、無線送受信チップ５０の補正が完了するが、当然のこと、各組の送信部５３および受信部５１の補正順序は、例えばまず第２の送信部５３３および第２の受信部５１３の補正を行った後、第１の送信部５３１および第１の受信部５１１の補正を行うというように変化させても良い。
本発明の無線送受信チップのまた別の実施例のブロック概略図である図９を参照されたい。無線送受信チップ６０は二つ以上の受信部６１と送信部６３とを備えており、同様に図７Ａ、図７Ｂ、図８Ａおよび図８Ｂに示されているステップにより、各受信部６１および送信部６３の補正が完了される。
本実施例において、無線送受信チップ６０は第１の受信部６１１と、第２の受信部６１３と、・・・、第（ｎ−１）の受信部６１７と、第ｎの受信部６１９と、そして第１の送信部６３１と、第２の送信部６３３と、・・・、第（ｎ−１）の送信部６３７と、第ｎの送信部６３９と、そして第１のスイッチングユニット６５１と、第２のスイッチングユニット６５３と、・・・第（ｎ−１）のスイッチングユニット６５７と、第ｎのスイッチングユニット６５９とを備えており、このうちｎは四以上の整数である。
受信部６１および送信部６３を二つ以上備えた無線送受信チップ６０については、複数の受信部６１および送信部６３に対して同時に補正を行うことができる。例えば、第１の送信部６３１と、第（ｎ−１）の送信部６３７／第１の受信部６１１と第（ｎ−１）の受信部６１７／第２の送信部６３３と第ｎの送信部６３９／第２の受信部６１３と第ｎの受信部６１９の補正を同時に行うことができる。当然のこと、各受信部６１および送信部６３と各スイッチングユニット６５との接続形態も変更することもできる。
本発明では確かに好ましい実施例を上記のように開示したが、これは本発明を限定するためのものではなく、本発明の技術的思想および実質的な内容から乖離することなく、当業者は本発明に基づいて各種相応の変更および変形を行うことは可能であるが、相応の変更および変形はいずれも本発明に添付する特許請求の範囲に含まれるものである。
【図面の簡単な説明】
【０００５】
【図１】は従来の無線送受信チップのブロック概略図である。
【図２】は本発明の無線送受信チップの好ましい実施例のブロック概略図である。
【図３】は本発明の無線送受信チップの他の好ましい実施例のブロック概略図である。
【図４】は本発明の無線送受信チップの更に他の好ましい実施例のブロック概略図である。
【図５】は本発明の無線送受信チップのまた更に他の好ましい実施例のブロック概略図である。
【図６Ａ】および
【図６Ｂ】はそれぞれ本発明の無線送受信チップの信号送信および受信の経路図である。
【図７Ａ】および
【図７Ｂ】はそれぞれ本発明の無線送受信チップの補正経路図である。
【図８Ａ】および
【図８Ｂ】はそれぞれ本発明の無線送受信チップの補正経路図である。
【図９】は本発明の無線送受信チップのまた別の実施例のブロック概略図である。
【符号の説明】
【０００６】
１０            無線送受信チップ            
１１            受信部
１３            送信部    
１５            スイッチングユニット
１７１            第１ピン
１７３            第２ピン
１９            ベースバンドチップ
２０            無線送受信チップ            
２１            受信部
２２１            受信配線
２２３            送信配線
２３            送信部    
２４            アンテナ
２５            スイッチングユニット          
２７            ピン
２９            ベースバンドチップ
３０            無線送受信チップ            
３１            受信部
３２１            受信配線
３２３            送信配線
３３            送信部    
３５            スイッチングユニット
３５１            第１のスイッチ            
３５３            第２のスイッチ
３９            ベースバンドチップ            
４０            無線送受信チップ            
４１            受信部
４２１            受信配線
４２３            送信配線
４３            送信部    
４５            スイッチングユニット
５０            無線送受信チップ            
５１            受信部
５１１            第１の受信部            
５１３            第２の受信部
５３            送信部    
５３１            第１の送信部
５３３            第２の送信部            
５５            スイッチングユニット
５５１            第１のスイッチングユニット      
５５３            第２のスイッチングユニット
５７１            第１ピン
５７３            第２ピン
６０            無線送受信チップ            
６１            受信部
６１１            第１の受信部            
６１３            第２の受信部
６１７            第（ｎ−１）の受信部        
６１９            第ｎの受信部
６３            送信部    
６３１            第１の送信部
６３３            第２の送信部            
６３７            第（ｎ−１）の送信部
６３９            第ｎの送信部            
６５            スイッチングユニット
６５１            第１のスイッチングユニット      
６５３            第２のスイッチングユニット
６５７            第（ｎ−１）のスイッチングユニット
６５９            第ｎのスイッチングユニット
【図１】
0004668295.tif 000002
【図２】
0004668295.tif 000003
【図３】
0004668295.tif 000004
【図４】
0004668295.tif 000005
【図５】
0004668295.tif 000006
【図６Ａ】
0004668295.tif 000007
【図６Ｂ】
0004668295.tif 000008
【図７Ａ】
0004668295.tif 000009
【図７Ｂ】
0004668295.tif 000010
【図８Ａ】
0004668295.tif 000011
【図８Ｂ】
0004668295.tif 000012
【図９】
0004668295.tif 000013